(57)【要約】【目的】歯科医療のための模型等に対する作業を能率良く、安全かつ確実に行なえるようにする。【構成】内部にて支台歯模型等を加工可能な密閉空間を有する本体１１を具備し、左右の手を挿入する２個の挿入口１３、１４を本体１１の左右に設け、利き手側挿入口を、利き手外周に適当な隙間４０が形成される大きさとする一方、利き手でない側の挿入口を、手袋を兼ねる保護部材によって密閉し、本体１１の一側に加工工具類を固定するための固定部２０を設け、また本体１１の他側には利き手外周の隙間４０から流入する気流とともに加工時に発生する粉体等を吸引排出するための排出口２６を設ける。【選択図】        図１９
2004313550.tif 000002
【特許請求の範囲】
【請求項１】
歯科医療のための模型等に対する作業を行なう装置であって、内部にて支台歯模型等を加工可能な密閉空間を有する本体を具備し、左右の手を挿入する２個の挿入口を本体の左右に設け、利き手側挿入口を、利き手外周に適当な隙間が形成される大きさとする、一方、利き手でない側の挿入口を、手袋を兼ねる保護部材によって密閉し、本体の一側に加工工具類を固定するための固定部を設け、また本体の他側には利き手側外周の隙間から流入する気流とともに、加工時に発生する粉体等を吸引排出するための排出口を設けたことを特徴とする歯科医療用集塵箱装置。
【請求項２】
本体内の下部に、模型等から削られた粉塵を落下させるメッシュ状の底板を設けた構成を有する請求項１記載の歯科医療用集塵箱装置。
【請求項３】
本体の上面に、作業状況を観察するとともに、模型等から削られた粉塵を遮断し、業者を保護する保護板を設けた構成を有する請求項１又は請求項２記載の歯科医療用集塵箱装置。
【発明の詳細な説明】
【０００１】
【発明の属する技術分野】
本発明は、歯科医療のための模型等に対する作業を行なう歯科医療用集塵箱装置に関するものである。
【０００２】
【従来の技術】
背景技術
歯科医療においては、例えば歯冠修復物や有床義歯、歯列矯正装置等の製作、加工及び修理等の作業を行なう分野が重要な位置を占めている。その内いわゆる虫歯により失われた歯冠修復を例にとると、図１に示すように患者の虫歯のある歯冠部分ａを削り、支台ｂを形成し、上下の歯列の型を採り（印象採得）、その型に石膏を注入して、図２に示す支台歯模型ｃと対合歯模型ｄとを作製する。支台歯模型ｃは基底面ｅにて切断しそこにダウエルピンと称する回転止め構造を持つピンｆを必要数植設し（図３）、さらに基底面ｅに分離剤を塗布した上でピンｆを根とする２次石膏台ｇを、適当な枠を用いて設け（図４）、台ｇ付きの支台歯模型ｃを得る。
【０００３】
修復歯冠を得るためには、支台歯模型ｃから支台歯部分ｈを切り離して取り出さなけらばならない。図５は支台歯部分ｈを取り出した状態を示しており、この後正確な辺縁を作り易くするため、支台歯部分ｈの余分な箇所ｊを削り取り、作業用模型ｋを得る（図６）。
【０００４】
以上の作業において、微妙な問題を含むのは、支台歯模型ｃから支台歯部分ｈを切り離す工程である。切り離し作業を糸鋸により行なう場合、刃全体を使って切る作業は容易であるけれども、臼歯部ｍに対する作業では鋸先端ｌが支台歯模型の反対側臼歯列に当たってしまい、鋸刃の一部で作業せざるを得ず、能率を著しく低下させる（図７）。また、この作業では常に２次石膏に埋れたピンｆの位置を想像しながら行なうが、特に前歯部ｎにおいてはピンとピンの間隔が接近しており、ピンｆを傷付けずに切り離すことは難しい作業である（図８）。
【０００５】
切り離し作業を例えば電動の丸鋸を有する模型切断機で行なう場合、作業能率は糸鋸の場合よりも向上する。しかし丸鋸の回転面と作業用模型との位置関係が一定であるため、図９に示すように隣接歯ｏがオーバーラップする状況にあると切り離し線ｐが隣接歯ｏにかかることになり、切断機による作業は断念しなければならない。また隣接歯間隔が丸鋸刃のあさり幅よりも狭い場合には上から切ることはできず、糸鋸で下から切る以外に方法はない。
【０００６】
丸鋸式模型切断機に似た加工ツールとして、実質的に丸鋸と同様の回転ディスクを有するいわゆるハンドピースが公知である。しかし、これは手持ち作業を行なうと、ディスクが模型に接触した瞬間に回転トルクによって振れてしまい、危険極まりなく、手持作業向きではない。また動力機の場合には、粉塵対策が必要であり作業環境を悪化させる問題もある。
【０００７】
【発明が解決しようとする課題】
本発明は前記の実情に鑑みなされたものであり、その課題は、歯科医療のための模型等に対する作業を能率よく、安全かつ確実に行なえるようにすることである。また本発明の他の課題は、歯冠修復用の石膏製の支台歯模型のような模型等に対する加工、検査及びその他の処理などの各種作業を効率良く行なえるようにすることである。
【０００８】
【課題を解決するための手段】
前記の課題を解決するため、本発明は、内部にて支台歯模型等を加工可能な密閉空間を有する本体を具備し、左右の手を挿入する２個の挿入口を本体の左右に設け、利き手側挿入口を、利き手外周に適当な隙間が形成される大きさとする、一方、利き手でない側の挿入口を、手袋を兼ねる保護部材によって密閉し、本体の一側に加工工具類を固定するための固定部を設け、また本体の他側には利き手側外周の隙間から流入する気流とともに加工時に発生する粉体等を吸引排出するための排出口を設けるという手段を講じたものである。
【０００９】
本体は、模型等に対する作業を行なう空間を提供する。この空間は、作業中に発生する粉塵を外部に逃がさないようにするためと、気流の吸引効率を低下させないことなどの理由から密閉空間とする。また模型等に対する加工ということからすれば、密閉空間は、模型等と加工装置及び左右の手が収まる大きさを有している必要がある。
【００１０】
このような本体の正面左右には、左右の手を挿入する２個の挿入口が設けられる。その内、利き手側挿入口は、利き手外周に適当な隙間が形成される大きさとし、利き手でない側の挿入口は、手袋を兼ねる保護部材によって密閉する。適当な隙間、とは作業のために密閉空間に挿入している手の動きを妨げないために必要な隙間という意味と、気流の吸引排出において外部から気流を吸引するために必要な隙間という意味を含む。
【００１１】
本体の一側には、加工工具類を固定するための固定部が設けられる。加工工具類には、前述の回転ディスクを使用するハンドピース等の切断工具や切削工具、研磨用工具、計測器等を含む。固定部における固定手段は特定工具のみに適用可能なもの及び止めねじのように汎用性を有するものを含む。
【００１２】
また、本体の他側には、利き手側外周の隙間から流入する気流を粉塵等とともに吸引排出する排出口を設けている。吸引力は、外部の吸引装置と排出口とを耐圧性を有するホースで接続することにより得ることができる。排出口には、金属の回収のためにフィルターを取り付けることが望ましい。歯科で扱うのはほとんどが貴金属の合金なのでこれを回収することは常に重要なテーマである。このようにして気流の管理による作業環境保護と資源再利用のテーマを両立させることができる。
【００１３】
さらに、本体内の下部には、模型等から削られた粉塵を落下させるメッシュ状の底板を設けること望ましい（請求項２の発明）。この底板により下部が集塵ボックスとなる。また、本体の上面には、作業状態を観察するとともに、模型等から削られた粉塵を遮断し、作業者を保護する保護板を設けることが望ましい（請求項３の発明）。
【００１４】
【発明の実施の形態】
以下図示の実施形態を参照して本発明をより詳細に説明する。図１０は、本発明に係る歯科医療用集塵箱装置１０の１例を示す平面図、図１１は正面図、図１２は右側面図、図１３は斜視図である。各図において、１１はこの装置の本体、１２は本体内部の密閉空間、１３、１４は左右の挿入口を示しており、例示の場合は右利きが対象である。利き手でない側の左挿入口１３には手袋を兼ねる保護部材１５が取り付けられ、保護部材１５に挿入した手の指先で支台歯模型等のワークＷを持つことができるようになっている。
【００１５】
例示の本体１１の平面４角形の正面左右は４５度近くの角度で面取りしたような斜面になっており、左右両斜面１６、１７に夫々挿入口１３、１４を設けているので、左右の手は本体内部の中心付近で出会い、ワークＷを確実に支えることができるようになるとともに、利き手主導によるワークＷの自在な動きが保証される（図１９参照）。１８、１９は作業中手首を支える受け台を示す。
【００１６】
本体１１の左右側面の後半分は平行面のままとされ、その利き手側側面に、固定部２０が設けられている。固定部２０は、加工工具類Ｔを嵌め込む保持筒２１と、保持筒２１を装置本体１１に取り付ける取り付け部２２とを有し、取り付け部側には加工工具類Ｔを締め付けて固定する止めねじ２３が設けられている。加工工具類Ｔは本体内への突出量を調整することができる。２４は加工用ビットとしての回転ディスク、２５はスイッチを示す。また本体１１の利き手でない側面には排出口２６が設けられており、それにはフィルター２７が取り付けられている。排出口２６は吸引用の耐圧ホース２８を介して真空ポンプ等の負圧側に接続される。
【００１７】
さらに、本体１１の内部にはメッシュ状の底板３１が張設され、削りかすや粉塵を底板下の集塵ボックスに落とす。例示の底板３１はいわゆるパンチングメタルを使用して好結果を得ている。また、本体１１の上面は後傾斜面とし、そこには透明な防護板３２を全面にわたって張設している。例示の防護板３２はアクリル板より成り、これにより本体１１は挿入口１４と排出口２６とを除いて密閉された状態になっている。
【００１８】
このような構成を有する歯科医療用集塵箱装置１０を用いて、支台歯模型から成るワークＷに対して、支台歯部分ｈを切り離す作業を行う場合、基底部から切断作業を行なうことが基本になる。この作業は、図１９に示されるように、ワークＷを本体１１の密閉空間１２に入れて利き手でない側の手で持ち、本体１１にセット済みの、加工工具類Ｔのスイッチ２５を入れ、かつ真空ポンプ等の負圧側を駆動して行なう。このときワークＷは必らず両手でしっかりと保持し、回転ディスク２４に正確に押し当て、余分な外力がディスク面に働かないように注意する。切り離し時に発生する粉塵の内、粗いもの或いは重いものは底板３１に落下して下の集塵ボックスに回収され、微細なもの或いは軽いものは利き手外周の隙間４０から排出口２６へ向かう気流に乗って、フィルター２７に捕捉され、回収可能な状態で留まる。
【００１９】
従って図９に示されたように隣接歯ｏとオーバーラップする例でも、基底部から難なく切り離しができる。また支台歯が接近していて回転ディスクが入る余地のないケースでは、図１５に示すように予めナイフ３５を用いて呼び切り込み３６を入れてから、基底部より回転ディスク２４による切断作業を行なうと良い（図１６）。切断作業は辺縁部に接近するところまで行なえば全部切り離す必要はなく指先に軽く力を入れることで切り込み３６に向かって割ることができる。
【００２０】
またピンｆが接近していて、回転ディスク２４の入る余地のないケースでは、図１７に示すように作業用模型ｋの目的箇所に対して頬側と舌側とから夫々切り込み３７、３８を途中まで入れて、その後指先に軽く力を入れ、割る方法で支台歯部分の切り離しが可能になる。このあと、既にある支台歯部分の一側を切り終わったために、一側に指先で保持できる箇所が少なくなったときは、図１８に示すようにピンｆをピンホルダー３９に嵌め込んで模型を保持し、本装置内にて回転ディスク２４により上記と同様の作業を行なえば良い。
【００２１】
【発明の効果】
本発明は以上の如く構成されかつ作用するものであるから、歯冠修復用の石膏製の支台歯模型のような各種模型等に対する加工、検査及びその他の処理などの各種作業を効率良く行なうことが可能であり、歯科医療のための様々な作業が能率良く、安全かつ確実に行なえるようになるという効果を奏する。
【図面の簡単な説明】
【図１】本発明の説明のための図面で、虫歯に支台を形成した段階のもの。
【図２】図１の歯列と対合歯列から印象採得し、形成した支台歯模型の側面図。
【図３】ピンを植設した支台歯模型の側面図。
【図４】図３のものに２次石膏を設けたものの側面図。
【図５】支台歯模型から支台歯部分を取り出した状態の側面図。
【図６】作業用模型の側面図。
【図７】同じく平面図で、糸鋸の当たりを示すもの。
【図８】接近したピンを有する前歯部の正面図。
【図９】オーバーラップした隣接歯を示す正面図。
【図１０】本発明に係る歯科医療用集塵箱装置の例を示す平面図。
【図１１】同上の正面図。
【図１２】同じく右側面図。
【図１３】同じく一部破断斜視図。
【図１４】（Ａ）固定部の正面図。
（Ｂ）同じく右側面図。
（Ｃ）同じく工具類を取り付けた説明図。
【図１５】本発明の装置の使用方法の１例に関する説明図。
【図１６】同じく切り離し工程の説明図。
【図１７】同じく他の使用方法の１例に関する説明図。
【図１８】同じく他の使用方法の１例に関する説明図。
【図１９】本発明の装置の使用概念を説明する斜視図。
【符号の説明】
ｃ    支台歯模型
ｆ    ピン
ｇ    ２次石膏
ｈ    支台歯部分
ｋ    作業用模型
ｏ、ｒ  隣接歯
１０  本発明に係る集塵箱装置
１１  本体
１２  密閉空間
１３、１４  挿入口
１５  保護部材
２０  固定部
２４  回転ディスク
２６  排出口
２７  フィルター
３１  底板
３２  防護板
４０  利き手外周の隙間
【図１】
2004313550.tif 000003
【図２】
2004313550.tif 000004
【図３】
2004313550.tif 000005
【図４】
2004313550.tif 000006
【図５】
2004313550.tif 000007
【図６】
2004313550.tif 000008
【図７】
2004313550.tif 000009
【図８】
2004313550.tif 000010
【図９】
2004313550.tif 000011
【図１０】
2004313550.tif 000012
【図１１】
2004313550.tif 000013
【図１２】
2004313550.tif 000014
【図１３】
2004313550.tif 000015
【図１４】
2004313550.tif 000016
【図１５】
2004313550.tif 000017
【図１６】
2004313550.tif 000018
【図１７】
2004313550.tif 000019
【図１８】
2004313550.tif 000020
【図１９】
2004313550.tif 000021